(57)【特許請求の範囲】
【請求項１】
略矩形の底壁部と、底壁部の後端部より略垂直に起立した立壁部と、底壁部の左右いずれか一方側に起倒可能に設けた雪切り部と、底壁部の左右いずれか他方側に設けた持手部と、雪切り部を動かすための操作部とを備えることを特徴とする雪降ろし具。
【請求項２】
底壁部の下面に左右方向に沿う板状のストッパーを有することを特徴とする請求項１記載の雪降ろし具。
【請求項３】
雪シュート板を底壁部の前部に着脱自在に設けたことを特徴とする請求項１又は２記載の雪降ろし具。
【発明の詳細な説明】
【技術分野】
【０００１】
本発明は、屋根の雪降ろしに用いられる雪降ろし具に関する。
【背景技術】
【０００２】
東北・北陸地方の多雪地帯では、屋根に雪が１メートル以上も積もることがあり、これを放っておくと家が雪の重みで潰れるおそれがあるので、屋根の雪降ろしをしなければならない。屋根の雪降ろしは、人が屋根に上りスコップやスノーダンプを用いて行っているが、その作業は大変な重労働で、且つ危険でもあり、毎年事故が絶えない。
【０００３】
特許文献１には、略正方形の底板部１１の隣接する二辺に第一壁面部１２及び第二壁面部１３を設けたバケット部１と、バケット部の第一・第二壁面部に連結して設けた把手部２とからなる除雪具が開示されている。この除雪具は、同文献の図４（イ）に示すように、まず屋根の軒先部分の雪をスコップで除いた後、図４（ハ）に示すように、把手部を押してバケット部を屋根の左右方向や前後方向に滑らせて、第一壁面部と第二壁面部の何れか一方と底板部とを屋根雪に切り込み、その後にバケット部を傾けるか滑らせることでバケット部にすくった雪を周囲の屋根雪から分離し、バケット部の開放している側からバケット部の雪を排出するものである。
この除雪具では、バケット部にすくった雪を周囲の屋根雪から分離して排出するために、バケット部を傾けるか滑らせる必要があり、これに多大な労力を要するとともに、積雪量が多い場合には雪の分離がうまく行えない。また、バケット部を軒先側に滑らせて雪を排出する際に、除雪具や作業者が屋根から転落するおそれもある。
【先行技術文献】
【特許文献】
【０００４】
【特許文献１】特開２００６−２００２２５号公報
【発明の概要】
【発明が解決しようとする課題】
【０００５】
本発明は以上に述べた実情に鑑み、屋根の雪降ろしが少ない労力で効率よく安全に行える雪降ろし具の提供を目的とする。
【課題を解決するための手段】
【０００６】
上記の課題を達成するために請求項１記載の発明による雪降ろし具は、略矩形の底壁部と、底壁部の後端部より略垂直に起立した立壁部と、底壁部の左右いずれか一方側に起倒可能に設けた雪切り部と、底壁部の左右いずれか他方側に設けた持手部と、雪切り部を動かすための操作部とを備えることを特徴とする。
【０００７】
請求項２記載の発明による雪降ろし具は、請求項１記載の発明の構成に加え、底壁部の下面に左右方向に沿う板状のストッパーを有することを特徴とする。
【０００８】
請求項３記載の発明による雪降ろし具は、請求項１又は２記載の発明の構成に加え、雪シュート板を底壁部の前部に着脱自在に設けたことを特徴とする。
【発明の効果】
【０００９】
請求項１記載の発明による雪降ろし具は、底壁部の前縁を屋根の軒側に向けた状態で、持手部を押して屋根の左右方向に滑らせると、底壁部と立壁部とが屋根雪に切り込み、その後に操作部を操作して雪切り部を倒すことで、底壁部上に載った雪塊が周囲の屋根雪と分離されるため、雪降ろし具を傾けたり滑らせたりしなくても、屋根の傾斜により分離した雪塊が自然に落下する。そのため、屋根の雪降ろしが少ない労力で効率よく安全に行える。
【００１０】
請求項２記載の発明による雪降ろし具は、底壁部の下面に左右方向に沿う板状のストッパーを有することで、軒側に滑るのを確実に防止できるので、雪降ろし作業の安全性が向上する。
【００１１】
請求項３記載の発明による雪降ろし具は、雪シュート板を底壁部の前部に着脱自在に設けたので、屋根の軒から離れた高いところの除雪を行う際に、雪シュート板を底壁部の前部に取付けることで、分離した雪塊を雪シュート板上を滑らせて軒から落下させられる。
【図面の簡単な説明】
【００１２】
【図１】本発明の雪降ろし具の一実施形態を示す右側面図である。
【図２】同雪降ろし具の平面図である。
【図３】同雪降ろし具の正面図である。
【図４】図２のＡ−Ａ断面図である。
【図５】同雪降ろし具の右側面図であって、雪切り部を倒したときの状態を示す。
【図６】同雪降ろし具を用いて屋根の雪降ろしを行う手順を順に示す側面図である。
【図７】同雪降ろし具を用いて屋根の雪降ろしを行う手順を順に示す平面図である。
【図８】屋根の軒から離れた高いところの除雪を行う際の様子を示す平面図である。
【図９】（ａ）は雪シュート板の平面図であり、（ｂ）は雪シュート板の正面図であり、（ｃ）は雪シュート板を底壁部の前部に取付けた状態を示す側面図である。
【発明を実施するための形態】
【００１３】
以下、本発明の実施の形態を図面に基づいて説明する。図１〜４は、本発明の雪降ろし具の一実施形態を示している。本雪降ろし具は、図１，２に示すように、長方形の底壁部１の後端部に立壁部２を垂直に連結し、Ｌ形に形成してある。底壁部１は、横幅Ｗが約７０ｃｍ、前後方向の長さＬが約１ｍとなっており、立壁部２は底壁部１と同じ横幅を有し、高さＨが約７５ｃｍとなっている。底壁部１と立壁部２は、雪が滑りやすく、軽量で丈夫な材質、例えば薄いアルミの板や、樹脂板、ベニヤ板等で形成してある。立壁部２には、図３に示すように、軽量化のために抜き孔８を設けてある。立壁部２の下部は、図１に示すように、底壁部１よりも５ｃｍ程度下方に突出しており、この部分がストッパー６ａになっている。底壁部１の前後方向の略中間の下面側にも、板状のストッパー６ｂが左右方向に設けてある。
【００１４】
図１〜３に示すように、底壁部１の前部の下面側には、軸受け９に支持して軸１０が左右方向に設けてあり、その軸１０の右側の端部には雪切り部３が固着して設けてあり、軸１０の左側の端部にはアーム１１が固着して設けてある。雪切り部３は、帯状の板で底壁部１の前後方向の長さＬよりも少し長く形成され、後側の縁部に金属製の刃１２が釘等で長手方向に沿って取付けてある。雪切り部３は、図１に示すように、バネ１３により起立した状態に保持されている。アーム１１の先端部には、紐５が連結して設けてあり、紐５は底壁部１の側方に取付けたガイド筒１４に挿通され、先端に持手１５を設けてある。図５に示すように、持手１５を持って紐５を引っ張ると、雪切り部３は軸１０を支点として後方に回動して倒れる。紐５を離すと、バネ１３の力により雪切り部３が起立状態に復帰する。
【００１５】
図１，２，４に示すように、底壁部１の左側、後寄りの位置には、持手部４が設けてある。持手部４は、底壁部１に取付けた金具に連結して設けた２本の縦パイプ１６，１６と、縦パイプ１６，１６間に連結して設けた横パイプ１７とで構成される。各縦パイプ１６は、図４に示すように、２本のパイプ１６ａ，１６ｂを入子式に連結してノブボルト１８で固定してあり、本雪降ろし具を操作する人の体格に応じて長さを調節できると共に、下端部の蝶ナット１９を緩めることで、角度を調節できるようになっている。縦パイプ１６の上端部は、側方に直角に折り曲げて握り部２０を形成してある。縦パイプ１６，１６間の底壁部１上面には、フットバー２１が固定して設けてある。
【００１６】
次に、本雪降ろし具の使用方法を説明する。まず、図７（ａ）に示すように、梯子等を使用して屋根２２に上り、屋根の軒２３側の隅の方の１．５ｍ四方ほどの領域の雪２４をスコップ等で排除する。その後、本雪降ろし具を持って屋根に上り、図７（ｂ）と図６（ａ）に示すように、底壁部１の前部を軒２３から１０〜２０ｃｍ程度はみ出させた状態で、持手部４を手で押して右方向にスライドさせ、すると底壁部１と立壁部２とが雪２４に切り込む。このとき、フットバー２１を足で押すことで、雪降ろし具をスライドさせるのが一層容易になる。底壁部１と立壁部２の略全体が雪２４の中に切り込んだら、持手１５を持って紐５を引っ張る。すると、図７（ｃ）と図６（ｂ）に示すように、雪切り部３が雪２４を切りながら後方に倒れ、底壁部１上に載った雪塊２４ａが周囲の屋根雪２４から切り離されるため、図６（ｃ）に示すように、切り離された雪塊２４ａが屋根２２の傾斜により底壁部１上を滑って落ちる。底壁部１の下面にストッパー６ａ，６ｂを設けてあることで、雪降ろし具が雪塊２４ａと一緒に滑り落ちることがなく、安全に作業が行える。また、持手部４が底壁部１の後方寄りに設けてあるため、作業者は軒２３にあまり近付かなくて済む。なおこの雪降ろし作業は、屋根２２の上面から１０ｃｍ以上雪を残すようにして行う。この作業を繰り返し、左から右に順次雪降ろしを行う。
【００１７】
屋根２２の軒２３から離れた高いところの除雪を行う際には、図８，９に示すように、底壁部１の前部の下面側に雪シュート板７を取付けて行う。これにより、分離された雪塊２４ａが底壁部１と雪シュート板７上を順次滑り、軒２３から落ちる。雪シュート板７は、図９（ｂ）に示すように、樹脂製の波状の板で形成され、後端部に補強のために角材２５が取付けてある。雪シュート板７の底壁部１への取付け方としては、例えば図９（ｃ）に示すように、底壁部１と雪シュート板７を両側からクリップ２６で挟むことで、簡便に取付けることができる。
【００１８】
以上に述べたように本雪降ろし具は、底壁部１と立壁部２とを雪に切り込ませた後、紐５を引っ張って雪切り部３を後方に倒すことで、底壁部１上に載った雪塊２４ａが周囲の屋根雪２４と分離され、雪降ろし具を傾けたり滑らせたりしなくても、屋根２２の傾斜により分離した雪塊２４ａが自然に落下するため、屋根の雪降ろしが少ない労力で効率よく安全に行える。また、底壁部１の下面に左右方向に沿う板状のストッパー６ａ，６ｂを有することで、雪降ろし具が軒２３側に滑るのを確実に防止できるので、雪降ろし作業の安全性が向上する。さらに、底壁部１の前部に雪シュート板７を取付けることで、屋根２２の軒２３から離れた高いところの除雪も簡単に行える。
【００１９】
本発明は以上に述べた実施形態に限定されない。底壁部１と立壁部２の大きさ、材質は、作業の効率や取扱いのしやすさ等を考慮して、適宜変更することができる。雪切り部３と、これを動かすための操作部５の形態は、適宜変更することができる。
【符号の説明】
【００２０】
１  底壁部
２  立壁部
３  雪切り部
４  持手部
５  紐（操作部）
６ａ，６ｂ  ストッパー
７  雪シュート板
【要約】
【課題】  屋根の雪降ろしが少ない労力で効率よく安全に行える雪降ろし具の提供。
【解決手段】  略矩形の底壁部１と、底壁部１の後端部より略垂直に起立した立壁部２と、底壁部１の左右いずれか一方側に起倒可能に設けた雪切り部３と、底壁部１の左右いずれか他方側に設けた持手部４と、雪切り部３を動かすための操作部５とを備える。
【選択図】      図１【図１】
0004748824.tif 000002
【図２】
0004748824.tif 000003
【図３】
0004748824.tif 000004
【図４】
0004748824.tif 000005
【図５】
0004748824.tif 000006
【図６】
0004748824.tif 000007
【図７】
0004748824.tif 000008
【図８】
0004748824.tif 000009
【図９】
0004748824.tif 000010